(57)【要約】【課題】予期せぬ侵入者が住宅に入り込んだことをより確実に把握して帰宅してきた住人に知らせることができる防犯システムを提供する。【解決手段】本システムは、複数の空間および玄関を有する住宅における防犯システムであって、人検知センサ１１ａ，１３ａ，１９ａと、戸外側表示モニタ２３ｂとを備えている。人検知センサ１１ａ，１３ａ，１９ａは、それぞれ居室の空間に設置され、その空間に人が居るか否かを検知する。戸外側表示モニタ２３ｂは、玄関ドア２０の戸外側において視認できるもので、人検知センサ１１ａ，１３ａ，１９ａの検知結果に基づく表示を行う。【選択図】        図２
2005004633.tif 000002
【特許請求の範囲】
【請求項１】
複数の空間（Ｓ１〜Ｓ３）および玄関（Ｓ７）を有する住宅における防犯システムであって、
前記空間に設置され、前記空間に人が居るか否かを検知する人検知センサ（１１ａ，１３ａ，１９ａ）と、
前記玄関のドア（２０，７０）の戸外側において視認でき、前記人検知センサの検知結果に基づく表示を行う表示装置（２３ｂ，７３）と、
を備えた防犯システム。
【請求項２】
前記表示装置は、前記玄関のドアと一体化されている、
請求項１に記載の防犯システム。
【請求項３】
前記表示装置は、前記玄関のドアあるいは前記表示装置への特定のアクセスがあったときにだけ、前記人検知センサの検知結果に基づく表示を行う、
請求項１又は２に記載の防犯システム。
【請求項４】
撮影を行うカメラ（８５ａ）と、
前記人検知センサの検知結果に基づき前記カメラの撮影画像を記録する記録装置（８１）と、
をさらに備えた、請求項１から３のいずれかに記載の防犯システム。
【請求項５】
前記表示装置（７３）は、前記玄関のドア（７０）に内蔵され、前記住宅の内部および戸外の両方から視認可能である、
請求項１から４のいずれかに記載の防犯システム。
【請求項６】
前記表示装置は、気象情報、交通情報、花粉情報、および光化学オキシダント情報のうち少なくとも１つを含む外出時に有用な情報の表示をさらに行うことができる、
請求項１から５のいずれかに記載の防犯システム。
【請求項７】
前記表示装置は、前記住宅に敷設されている電化機器ネットワーク（８０）に接続されており、前記電化機器ネットワークにつながる機器（１１，１２，１３，１９，２２，・・・）の稼働状況の表示をさらに行うことができる、
請求項１から６のいずれかに記載の防犯システム。
【請求項８】
前記表示装置は、前記電化機器ネットワークにつながる機器のうち一部の機器あるいは全部の機器を一括してＯＮ／ＯＦＦ操作する操作入力機能を有している、
請求項７に記載の防犯システム。
【請求項９】
前記電化機器ネットワークにつながる機器の少なくとも１つは、前記人検知センサの検知結果に基づいて制御される、
請求項７又は８に記載の防犯システム。
【発明の詳細な説明】
【０００１】
【発明の属する技術分野】
本発明は、防犯システム、特に、帰宅した人に防犯に関する有用な情報を提供する防犯システムに関する。
【０００２】
【従来の技術】
留守中に不法侵入者が住宅内に侵入して金品を物色している最中に住人が知らずに帰宅して不法侵入者から危害を加えられるという事件を防ぐ技術が、特許文献１に開示されている。ここでは、玄関のドアが開閉されたことを検知しておいて、玄関のドアやその近傍の外壁に配置された表示器を使って、帰宅してきた住人に玄関のドアの開閉情報を見せる。これにより、不法侵入者が玄関のドアを開けて侵入したことを帰宅してきた住人が把握することができるようになり、知らずに不法侵入者が居る自宅に入ってしまい不法侵入者から危害を加えられるということが防がれる。
【０００３】
【特許文献１】
特開２００１−２７９９９９号公報
【０００４】
【発明が解決しようとする課題】
このような特許文献１に示す表示器付きの玄関のドアの開閉監視装置を用いれば、確かに不法侵入者が玄関のドアをこじ開けて侵入したことを帰宅してきた住人に知らせることができる。
しかし、不法侵入者が玄関のドアからではなく窓から侵入している場合には、玄関のドアの開閉監視装置の表示器による情報から安全だと住人が判断して住宅に入っても不法侵入者と住宅内で鉢合わせてしまう恐れがある。すなわち、上記の特許文献１では、知らずに不法侵入者が居る自宅に入ってしまい不法侵入者から危害を加えられるという危険を低減することはできるが、窓からの侵入に対処していないことから、十分に危険を低減できているとは言えない。
【０００５】
また、不法侵入者が玄関のドアから侵入した場合であっても、帰宅してきた住人は、玄関のドアの開閉監視装置の表示器による情報からは不法侵入者が現在も住宅内に居るのか否かを知ることはできず、住宅内における不法侵入者の位置を推定することもできない。
本発明の課題は、予期せぬ侵入者が住宅に入り込んだことをより確実に把握して帰宅してきた住人に知らせることができる防犯システムを提供することにある。
【０００６】
【課題を解決するための手段】
請求項１に係る防犯システムは、複数の空間および玄関を有する住宅における防犯システムであって、人検知センサと、表示装置とを備えている。人検知センサは、少なくとも幾つかの空間に設置され、その空間に人が居るか否かを検知する。表示装置は、玄関のドアの戸外側において視認できるもので、人検知センサの検知結果に基づく表示を行う。表示装置は、玄関のドアと一体化されていてもよいし、玄関のドアの近くに配置されていてもよい。
【０００７】
ここでは、幾つかの空間に設置される人検知センサにより住宅内に侵入者などが居る場合にそれを検知することができるため、留守中に人検知センサが人を検知した場合に帰宅してきた住人に対して表示装置による表示でその旨を知らせるようにすることで、帰宅してきた住人が住宅内に不審者（侵入者）が居ることを察知できるようになる。玄関のドアから侵入したか窓から侵入したかとは関係なく、留守中の住宅内で人が検知されれば、それが表示装置を介して帰宅してきた住人に伝わる。帰宅してきた住人は、玄関のドアの外で表示装置を見て住宅内に誰か居る又は居たことを知った場合には、注意して玄関のドアを開けたり、警察などに連絡したりすることになる。
【０００８】
また、複数の人検知センサのどれが人を検知したのかに関する情報を表示装置に表示するようにすれば、表示装置を見た住人は住宅内の不審者の位置を予測するようなことも可能になる。
さらに、住宅内に現在も誰か居るのか、それとも現在および近い過去（例えば過去１時間）には人検知センサによる人の検知が為されていないのかについて表示装置に表示させるようにすれば、それに対応した適切な処置を住人が選択することもできるようになる。
【０００９】
このように、この防犯システムでは、予期せぬ侵入者が住宅に入り込んだことをより確実に把握して帰宅してきた住人に知らせることができるため、知らずに不審者が居る住宅内に入ってしまい不審者から危害を加えられる確率を大きく低減することができる。
請求項２に係る防犯システムは、請求項１に記載の防犯システムであって、表示装置は、玄関のドアと一体化されている。
【００１０】
ここでは、玄関のドアと表示装置とが一体となっているため、帰宅してきて玄関のドアを開けようとする住人は、ほぼ確実に表示装置を目にすることになる。したがって、表示装置により留守中に不審者が住宅内に侵入していないかを確かるべきであること忘れていた場合にも、それを思い出すことになる。
請求項３に係る防犯システムは、請求項１又は２に記載の防犯システムであって、表示装置は、玄関のドアあるいは表示装置への特定のアクセスがあったときにだけ、人検知センサの検知結果に基づく表示を行う。
【００１１】
ここでは、ドアへのタッチ、鍵の差し込み、リモコンキーの使用などのドアへの特定のアクセスがあったときにだけ、人検知センサの検知結果に基づく表示を表示装置で行っている。したがって、玄関の近くを通る不特定多数の人や集金などの来訪者に対して不要な情報を漏洩してしまうことが防がれる。反対に、住人が特定のアクセスをドア等に行うことで自動的に表示装置に表示が為されるため、そのようなアクセスを住人が習慣にすれば、住人の帰宅時には常に表示装置に人検知センサの検知結果に基づく表示が自動的に現れるようになる。
【００１２】
なお、玄関のドアをこじ開けようとする不法侵入者に対して防犯機能を隠そうとする考え方に立つ場合には、ＩＤなどを示す住人によるアクセスだけを特定のアクセスとして登録しておくことが考えられ、不法侵入者に対して防犯機能を見せつけようとする考え方に立つ場合には、ドアに触れるなどのアクセスを特定のアクセスとして登録することが考えられる。後者の場合であっても、留守中についてだけ人検知センサの検知結果に基づく表示機能を生かすようにすることが望ましい。
【００１３】
請求項４に係る防犯システムは、請求項１から３のいずれかに記載の防犯システムであって、撮影を行うカメラと、記録装置とをさらに備えている。カメラは、玄関の近くに設置されていても、住宅内の主要通路に設置されていても、玄関のドアに内蔵されていても、あるいは玄関近くのインターホンに内蔵されていてもよい。ただし、カメラは、住宅内に入った人（不法侵入者など）が必ず通る経路に設置することが望ましい。記録装置は、人検知センサの検知結果に基づき、カメラの撮影画像を記録して残す。
【００１４】
ここでは、人検知センサが不審者などを検知したときにカメラの撮影画像を記録して残すため、不審者が写っている可能性の高い撮影画像をあとから確認することができる。また、記録しておいた撮影画像を帰宅してきた住人のために玄関の表示装置に表示させることも可能である。
このように、ここでは、住宅内に入ってきた不審者を特定できる可能性が高くなる。
【００１５】
請求項５に係る防犯システムは、請求項１から４のいずれかに記載の防犯システムであって、表示装置は、玄関のドアに内蔵されており、住宅の内部および戸外の両方から視認可能である。
ここでは、玄関ドアに内蔵する表示装置を住宅の内外から視認できるものとしたため、表示装置の使い道が拡がる。
【００１６】
また、この表示装置を透過型のものとすれば、玄関の戸外側で住宅内の不審者の存在を知った住人が表示装置を介して住宅内を覗き住宅内の様子を確認するようなことも可能となる。この場合には、プライバシー保護の観点から、さらに透過型の表示装置にミラー機能を搭載しておき、通常は戸外から住宅内を覗けないようにしておき、住人が特殊操作を行ったときにだけ戸外から住宅内を覗ける構成にしておくことが望ましい。
【００１７】
請求項６に係る防犯システムは、請求項１から５のいずれかに記載の防犯システムであって、表示装置は、外出時に有用な情報の表示をさらに行うことができる。この外出時に有用な情報とは、気象情報、交通情報、花粉情報、および光化学オキシダント情報のうち少なくとも１つを含むものであるが、これら全てを含む情報であることが望ましい。
【００１８】
ここでは、表示装置に気象情報などが表示されるため、外出する人が表示装置の表示を見て有用な情報を入手することが可能になる。特に、気象情報、交通情報、花粉情報、および光化学オキシダント情報の全てを含む情報が表示装置に表示されれば、外出する人は有用情報をまとまった形で外出直前に自然に得ることができるようになる。
【００１９】
請求項７に係る防犯システムは、請求項１から６のいずれかに記載の防犯システムであって、表示装置は、住宅に敷設されている電化機器ネットワークに接続されている。そして、表示装置は、電化機器ネットワークにつながる機器の稼働状況の表示をさらに行うことができる。
ここでは、表示装置に住宅内の電化機器ネットワークにつながる各機器の稼働状況が表示されるため、その表示装置を見た人が各機器の稼働状況を認識することができる。特に、少なくとも玄関ドアの戸外側で視認できる表示装置において各機器の稼働状況が表示されるため、外出する際に住宅内の機器が無駄にＯＮ状態となっていないかを確認することが容易になる。
【００２０】
請求項８に係る防犯システムは、請求項７に記載の防犯システムであって、表示装置は、電化機器ネットワークにつながる機器のうち一部の機器あるいは全部の機器を一括してＯＮ／ＯＦＦ操作する操作入力機能を有している。
ここでは、表示装置の操作入力機能を使うことで、外出前などにおいて機器を一括してＯＦＦ状態にすることなどが可能になる。
【００２１】
請求項９に係る防犯システムは、請求項７又は８に記載の防犯システムであって、電化機器ネットワークにつながる機器の少なくとも１つは、人検知センサの検知結果に基づいて制御される。
ここでは、機器を最適制御するために人検知センサを用いることができるため、人検知センサの活用度合いが高まる。
【００２２】
【発明の実施の形態】
＜住宅内総合システムの概要＞
本発明の第１実施形態に係る住宅内総合システムを、図１に示す。住宅内総合システムは、玄関の空間Ｓ７に設置されている玄関ドア２０に表示モニタ２３ａ，２３ｂおよび換気装置２２を一体化（内蔵）させて防犯および空調・換気の機能を強化したことを特徴とするシステムである。この住宅内総合システムは、防犯機能を持つホームコントローラ８１が中心となっているが、空調・換気の制御については別途コントローラ５０が設けられている。また、住宅内総合システムは、インターネット９０を介してサービスを受ける契約をしている複数の事業者９１〜９３の運営するサーバコンピュータと接続される。
【００２３】
住宅内総合システムは、種々の機器の連動制御やインターネットを介して入手するコンテンツによる住人への一般情報提供などの機能も有しているが、ここでは玄関ドア２０に関連する防犯機能および空調・換気機能を中心に説明を行う。
＜住宅内総合システムの構成＞
住宅内には、ＬＡＮなどの家庭内電化機器ネットワーク８０が敷設されており、これに防犯機能内蔵のホームコントローラ８１、全館空調・換気コントローラ５０、インターホン８５、照明機器８６、表示モニタ２３ａ，２３ｂなどが接続されている。また、家庭内電化機器ネットワーク８０は、インターネット９０を介して、気象情報提供事業者９１、交通情報提供者９２、警備サービス事業者９３などのサーバコンピュータと交信が可能である。
【００２４】
さらに、家庭内電化機器ネットワーク８０には、全館空調・換気コントローラ５０を介して、空気調和装置１１、空気調和装置１９、給気扇１２、空気調和装置１３、および玄関ドア２０に内蔵される換気装置２２（図３参照）が接続されている。これらの空調・換気装置は、全館空調・換気コントローラ５０によって連動制御され、複数の空間Ｓ１〜Ｓ７に仕切られた住宅内を適切に空調・換気する。
【００２５】
空気調和装置１１は、図４に示すように、第１居室（空間Ｓ１）の戸外ＯＳに面する側壁上部に設置されており、給気機能を有している。この給気機能は、戸外ＯＳの外気を第１居室の空間Ｓ１内に取り入れる機能である。また、空気調和装置１１は、第１居室の空間Ｓ１に人が居るか否かを赤外線などを利用して検知する人検知センサ１１ａを有している（図１および図２参照）。
【００２６】
空気調和装置１９は、図４に示すように、第２居室（空間Ｓ２）の戸外ＯＳに面する側壁上部に設置されており、換気機能は持っていない。また、空気調和装置１９は、第２居室の空間Ｓ２に人が居るか否かを検知する人検知センサ１９ａを有している（図１および図２参照）。
給気扇１２は、図４に示すように、第２居室（空間Ｓ２）の戸外ＯＳに面する側壁上部に設置されており、戸外ＯＳの外気を第２居室の空間Ｓ２内に取り入れる。
【００２７】
空気調和装置１３は、図３に示すように、第３居室（空間Ｓ３）の戸外ＯＳに面する側壁上部に設置されており、給気機能を有している。この給気機能は、戸外ＯＳの外気を第３居室（空間Ｓ３）内に取り入れる機能である。また、空気調和装置１３は、第３居室の空間Ｓ３に人が居るか否かを検知する人検知センサ１３ａを有している（図１および図２参照）。
【００２８】
玄関ドア２０に内蔵される換気装置２２は、図３に示すように、玄関ドア２０のドア本体２１に対して着脱可能に装着されてドア本体２１と一体化される。具体的には、換気装置２２は、ドア本体２１の着脱機構２１ｂに装着され、ドア本体２１の戸外ＯＳ側のスリット２１ａを有する部分に対向している。そして、換気装置２２は、図３において白抜きの矢印で示すように、住宅内の空気を戸外ＯＳへと排気する機能を有している。換気装置２２は、主として、換気ファン３１と、それを回転させる換気ファンモータ３２と、ダンパ３３と、ダンパ開度調整器３４とから構成されている。換気ファン３１が回ると、住宅内の空気が、吸込口２２ａからダンパ３３、吹出口２２ｂ、およびドア本体２１のスリット２１ａを経て戸外ＯＳへと流れる。その排気経路Ｒに対して、モータあるいはソレノイドといった駆動源を持つダンパ開度調整器３４が、ダンパ３３をスライドさせて流路面積の調整を行う。また、ダンパ開度調整器３４は、ダンパ３３により排気経路Ｒを完全に閉ざし、住宅内と戸外ＯＳとの空気の連通を遮断させることも可能である。
【００２９】
玄関ドア２０は、さらに、宅内側ドアノブ４１に内蔵されるタッチセンサ４２および埃・臭いセンサ４３と、戸外側ドアノブ４５に内蔵されるタッチセンサ４６および埃・臭いセンサ４７と、ドア加速度センサ３６とを有している。タッチセンサ４２は、ピエゾセンサであり、住宅内から戸外ＯＳに人が出かけるときに宅内側ドアノブ４１に触れると、それを検知する。タッチセンサ４６は、ピエゾセンサであり、戸外ＯＳから住宅内に人が入るときに戸外側ドアノブ４５に触れると、それを検知する。埃・臭いセンサ４３は、住宅内の空気質を検知する。埃・臭いセンサ４７は、戸外ＯＳの空気質を検知する。
【００３０】
また、玄関ドア２０のドア本体２１の上部には、ちょうど立った状態の大人の目線の高さ位置に、タッチパネル式の宅内側表示モニタ２３ａと戸外側表示モニタ２３ｂとが装着されている。宅内側表示モニタ２３ａは、住宅の中（玄関の空間Ｓ７）から視認することができ、住人が主として外出する前などに目にすることになる。戸外側表示モニタ２３ｂは、戸外ＯＳ（玄関ドア２０の外側）から視認することができ、住人が主として帰宅時などに目にすることになる。
【００３１】
玄関ドア２０の戸外ＯＳ側の少し離れたところには、図２に示すように、ＣＣＤカメラ８５ａを内蔵するインターホン８５が設けられている。このインターホン８５も、家庭内電化機器ネットワーク８０に接続されており、ＣＣＤカメラ８５ａの撮影動画が必要に応じてホームコントローラ８１の内蔵メモリに取り込まれて記録される。ホームコントローラ８１は、常に過去３０分間のＣＣＤカメラ８５ａの撮影動画を一時的に内蔵メモリに蓄えている。
【００３２】
＜ホームコントローラによる制御＞
（１）
次に、ホームコントローラ８１の防犯機能について説明する。
ホームコントローラ８１は、留守モードを有しており、住人が外出時に留守モードを選択したとき又は玄関ドア２０の鍵の状態から留守モードに自動移行したときに、空気調和装置１１，１３，１９に内蔵されている人検知センサ１１ａ，１３ａ，１９ａやインターホン８５に内蔵されているＣＣＤカメラ８５ａなどからの検知結果（信号）を基にして、留守中の不法侵入者の監視を行う。そして、留守中に住宅内に不審者が入ったと判断した場合には、インターホン８５のＣＣＤカメラ８５ａによる過去３０分間の一時記憶されている撮影動画をホームコントローラ８１の不揮発メモリに正式に記録（記憶）するとともに、警備サービス事業者９３に通報を行う。そして、どの人検知センサがどの時刻に人を検知したのかを示す人検知ログを作成し始める。この人検知ログも、ホームコントローラ８１の不揮発メモリに記録される。
【００３３】
そして、帰宅してきた住宅の住人が知らずに住宅内に入って不法侵入者と鉢合わせないように、住人などが玄関ドア２０を戸外ＯＳ側から開けようとして戸外側ドアノブ４５に触れたことをタッチセンサ４６で検知したときに、あるいは玄関ドア２０を戸外ＯＳ側から開けようとして鍵穴に鍵を差し込んだときに、ホームコントローラ８１は、戸外側表示モニタ２３ｂに、人検知センサ１１ａ，１３ａ，１９ａ等の検知結果から不審者の侵入の疑いがある旨を画面表示するとともに、簡単な操作により留守中の撮影動画（あるいは撮影画像）や人検知ログを不揮発メモリから呼び出せるようにする。
【００３４】
このように戸外側表示モニタ２３ｂに表示された情報を見ることで、帰宅してきた住人は、不審者が留守中に住宅内に侵入したか否か、侵入者があった場合にその侵入者が今も住宅内に居るのかそれとも立ち去ったのか、警備サービス事業者９３に通報が為されたか否か、侵入者がどの空間に入り込んだのかといったことを把握できるようになっている。
【００３５】
（２）
次に、ホームコントローラ８１の空気質情報提供機能について説明する。
住宅の住人が外出しようとして玄関ドア２０の宅内側ドアノブ４１に触れると、それをタッチセンサ４２が検知してホームコントローラ８１に知らせる。すると、ホームコントローラ８１は、宅内側表示モニタ２３ａおよび戸外側表示モニタ２３ｂの両方に、住人が戸外ＯＳに出るときに有用と思われる情報（気象情報、交通情報、花粉情報、および光化学オキシダント情報）を表示する。このような有用情報は、インターネット９０を介して気象情報提供事業者９１や交通情報提供者９２から得るものである。これにより、外出する人は、これらの有用情報をまとまった形で外出直前に目にすることができるようになっている。
【００３６】
また、上記の有用情報の他、宅内側表示モニタ２３ａおよび戸外側表示モニタ２３ｂでは、宅内側ドアノブ４１にタッチがあったことをタッチセンサ４２が検知してから所定時間（例えば３０秒）の間、家庭内電化機器ネットワーク８０に接続されている各機器の稼働状況を表示するとともに、ＯＦＦ操作などの操作入力を受けつける。ここでは、家庭内電化機器ネットワーク８０につながる複数機器のうち一部の機器あるいは全部の機器を一括してＯＮ／ＯＦＦ操作することができるようになっている。このため、外出する人は、住宅内の機器を無駄につけたままにして外出してしまうというミスを防ぐことができる。また、帰宅時において、必要な機器をいち早くＯＮ状態にすることができる。
【００３７】
具体的には、宅内側表示モニタ２３ａおよび戸外側表示モニタ２３ｂに、戸外ＯＳの天気、戸外ＯＳの温湿度、戸外ＯＳの花粉飛散状況、空気調和装置１１等のＯＮ／ＯＦＦ状態、住宅内の窓などの施錠状態といった情報が表示される。そして、出かけようとする人が、服装の確認を行ったり、留守になる家のセキュリティの確認チェックを行ったりする。
【００３８】
＜全館空調・換気コントローラによる制御＞
（１）
全館空調・換気コントローラ５０は、空気調和装置１１、空気調和装置１９、給気扇１２、空気調和装置１３、および換気装置２２を連動制御する。この連動制御により、図４に示すように、空気調和装置１１、空気調和装置１９、および給気扇１２から住宅内への外気導入（給気）が行われ、玄関の空間Ｓ７から玄関ドア２０を介して戸外ＯＳへと排気が行われるようになる。
【００３９】
玄関の空間Ｓ７は常に正圧に保持され、玄関ドア２０を開けたときに住宅内に花粉などの粉塵が侵入してくることが抑えられている。さらに、コントローラ５０は、玄関ドア２０が開くときに、空気調和装置１１、空気調和装置１９、および給気扇１２から住宅内への外気導入量（給気量）を増やす制御を行う。これにより、玄関ドア２０を開けたときの住宅内への粉塵の侵入をより確実に抑えるようにしている。具体的には、コントローラ５０は、タッチセンサ４２，４３からの信号に基づいて、空気調和装置１１、空気調和装置１９、および給気扇１２から住宅内への外気導入量を増やす。
【００４０】
（２）
玄関ドア２０の両側（宅内側と戸外ＯＳ側）を結ぶ換気経路Ｒをダンパ３３により開閉することができるようになっているが、その開閉の制御は、コントローラ５０により玄関ドア２０の開閉に基づいて行われる。コントローラ５０は、ドア加速度センサ３６により玄関ドア２０が開き始めたことを検知すると、排気経路Ｒが閉じた状態であればダンパ開度調整器３４に指令を出してダンパ３３を動かし、排気経路Ｒにより住宅内と戸外ＯＳとが連通した状態に移行させる。これにより、玄関ドア２０を開ける人は、比較的スムーズに玄関ドア２０を開けることができる。
【００４１】
（３）
さらに、コントローラ５０は、空気調和装置１１，１３，１９が内蔵する人検知センサ１１ａ，１３ａ，１９ａや、玄関ドア２０の各センサ４２，４３，４６，４７からの信号を受け、それらを各種制御（空調制御や換気制御）に生かしている。
【００４２】
例えば、コントローラ５０は、各居室の空間Ｓ１〜Ｓ３で人検知センサ１１ａ，１９ａ，１３ａによって人の有無を検知し、その検知結果に基づき空気調和装置１１、空気調和装置１９、および換気扇１２による給気を制御し、その給気に連動させる形で玄関ドア２０の換気装置２２による排気を制御する。具体的には、各居室の空間Ｓ１〜Ｓ３に人が居るときには、居ないときに較べてその空間の換気量を増やし、その空間を状況に合った快適な空調・換気状態とする。そして、ある居室の空間の換気量の増加に応じて、他の空間においても適切な換気状態や圧力状態が保たれるようにコントローラ５０による連動制御が為される。
【００４３】
＜住宅内総合システムの主な特徴＞
（１）
本システムでは、幾つかの空間（Ｓ１〜Ｓ３）に設置される人検知センサ１１ａ，１９ａ，１３ａにより住宅内に不審な侵入者などが居る場合にそれを検知することができ、さらに人検知センサ１１ａ，１３ａ，１９ａ等の検知結果から不審者の侵入の疑いがあると判断した場合にホームコントローラ８１が戸外側表示モニタ２３ｂに所定の画面表示を行う。このため、帰宅してきた住人は住宅内に不審者（侵入者）が居ることを察知できる。不審者が玄関ドア２０を開けて侵入したか居室の窓から侵入したかとは関係なく、留守中の住宅内の空間（Ｓ１〜Ｓ３）で人が検知されれば、それが戸外側表示モニタ２３ｂを介して帰宅してきた住人に伝わるようになっている。したがって、帰宅してきた住人は、玄関ドア２０の外で戸外側表示モニタ２３ｂを見て、住宅内に誰か居る又は居たことを知った場合には注意して玄関ドア２０を開けたり警察などに連絡したりすることができる。
【００４４】
また、帰宅してきた住人は、戸外側表示モニタ２３ｂを見て侵入者がどの空間に入り込んだのか（どの人検知センサが人を検知したのか）ということも知ることができ、住宅内の不審者の位置を予測することも可能である。
さらに、住宅内に現在も不審者が居るのか、それとも、過去１時間ぐらいは人検知センサ１１ａ，１３ａ，１９ａによる人の検知が為されていないのかについても、帰宅してきた住人が戸外側表示モニタ２３ｂを見て知ることができるようになっている。
【００４５】
このように、本システムでは、予期せぬ侵入者が住宅に入り込んだことを確実に把握して帰宅してきた住人に玄関ドア２０の戸外側表示モニタ２３ｂを使って知らせるため、知らずに不審者が居る住宅内に入ってしまい住人が不審者から危害を加えられる可能性を低減することができている。
（２）
本システムでは、玄関ドア２０と戸外側表示モニタ２３ｂとが一体となっているため、帰宅してきて玄関ドア２０を開けようとする住人は、ほぼ確実に戸外側表示モニタ２３ｂを目にすることになる。したがって、戸外側表示モニタ２３ｂにより留守中に不審者が住宅内に侵入していないかを確かるべきであること忘れていた場合にも、住人がそれを思い出すことになる。
【００４６】
（３）
本システムでは、玄関ドア２０の戸外側ドアノブ４５へのタッチ、あるいは玄関ドア２０の鍵穴への鍵の差し込みを検知し、その検知に基づいて、人検知センサ１１ａ，１３ａ，１９ａ等の検知結果から判断される不審者の侵入の可能性について戸外側表示モニタ２３ｂへの画面表示を行っている。したがって、玄関ドア２０の戸外ＯＳ側の近くを通る不特定多数の人や集金などの来訪者に対して不要な情報を漏洩してしまうことが防がれている。
【００４７】
（４）
本システムでは、人検知センサ１１ａ，１３ａ，１９ａが不審者などを検知したときにインターホン８５のＣＣＤカメラ８５ａによる過去（あるいは現在、未来）の撮影動画をホームコントローラ８１の不揮発メモリに記録して残すため、不審者が写っている可能性の高い撮影画像をあとから確認できる可能性が高くなる。
【００４８】
（５）
本システムでは、換気装置２２や表示モニタ２３ａ，２３ｂの寿命がドア本体２１の寿命に較べて短くなっているが、玄関ドア２０のドア本体２１に換気装置２２および表示モニタ２３ａ，２３ｂが着脱可能に装着されているため、これらの寿命が尽きたときにはドア本体２１を継続して使用し換気装置２２や表示モニタ２３ａ，２３ｂだけを新しいものに取り替えることができる。
【００４９】
（６）
本システムでは、空気調和装置１１、空気調和装置１９、給気扇１２、空気調和装置１３、および換気装置２２を最適に連動制御するために人検知センサ１１ａ，１３ａ，１９ａが用いられており、それらの人検知センサ１１ａ，１３ａ，１９ａを住人の留守中に利用する形でホームコントローラ８１による防犯機能を実現させている。このように、本システムでは、人検知センサ１１ａ，１３ａ，１９ａの活用度合いが高くなっている。
【００５０】
（７）
本システムでは、各居室の空間Ｓ１〜Ｓ３に赤外線などを利用した人検知センサ１１ａ，１３ａ，１９ａを配備し、それらにより居室の空間Ｓ１〜Ｓ３に人が居るか否かをホームコントローラ８１に判断させるようにしている。このような人検知センサ１１ａ，１３ａ，１９ａに代えて各居室の空間Ｓ１〜Ｓ３にＴＶカメラを設置するようなことも考えられるが、画像処理などによる映像の確認に時間がかかり費用も嵩むことから、現状においては人検知センサ１１ａ，１３ａ，１９ａを用いることが望ましい。
【００５１】
＜住宅内総合システムの変形例＞
（Ａ）
上記システムでは、玄関ドア２０の戸外側ドアノブ４５に触れると、触れた人が住人であっても不法侵入を試みる不審者であっても、戸外側表示モニタ２３ｂに画面表示が現れる。そして、そこには不審者の有無といった防犯情報が表示されるため、不審者の場合には住宅が高度に防犯化されたものであることに気づくことになる。
【００５２】
これを是とするか非とするかは、住宅の周りの環境や警備会社と契約しているか否かなどの状況によって変わる。
上記システムのような構成として、不法侵入者に対して防犯機能を見せつけようとする考え方に立つ場合には、特に住人であることの認証なしに戸外側表示モニタ２３ｂに必要な情報を全て表示させることで問題ない。
【００５３】
一方、玄関ドア２０をこじ開けようとする不法侵入者に対して防犯機能を隠そうとする考え方に立つ場合には、住人が特殊なリモコンによって玄関ドア２０にアクセスする又は住人を特定するＩＤなどを入力するといったアクセスがあって初めて戸外側表示モニタ２３ｂに必要な表示をさせるといった工夫が望まれる。
（Ｂ）
上記システムでは、人検知センサ１１ａ，１３ａ，１９ａが不審者などを検知したときにインターホン８５のＣＣＤカメラ８５ａによる撮影動画をホームコントローラ８１の不揮発メモリに記録して残しているが、このインターホン８５に内蔵されるＣＣＤカメラ８５ａの代わりに他の場所に設けるカメラの画像を残すようにすることもできる。
【００５４】
例えば、玄関ドア２０にＣＣＤカメラ２９（図１の点線を参照）を内蔵させ、それにより不審者の撮影を行うようにしてもよいし、不法侵入者が一度は必ず通ると思われる廊下の空間Ｓ６に別のＴＶカメラ８９（図１の点線を参照）を設置するようにしてもよい。
（Ｃ）
上記システムでは、帰宅してきた住人の目に必ずとまるように戸外側表示モニタ２３ｂを玄関ドア２０に装着しているが、戸外側表示モニタ２３ｂを玄関ドア２０から少し離して配置することも考えられる。その場合でも、上記とほぼ同等の防犯機能を得ることができる。
【００５５】
（Ｄ）
上記システムでは、玄関ドア２０のドア本体２１の宅内側に宅内側表示モニタ２３ａを、戸外ＯＳ側に戸外側表示モニタ２３ｂをそれぞれ別に装着しているが、これらを１つにまとめる形を採ることも考えられる。例えば、図５に示す透過型表示ディスプレイ７３を有する玄関ドア７０を採用することが可能である。
【００５６】
図５に示す玄関ドア７０は、換気装置７２および透過型表示ディスプレイ７３を内蔵している。この玄関ドア７０は、主として、ドア本体７１と、換気装置７２と、透過型表示ディスプレイ７３とから構成されている。
ドア本体７１は、その表面素材にアルミパネルが用いられている。このアルミパネルは、アルマイト染色されているとともに、パンチングによる細かい多数の孔７１ａが開けられている。
【００５７】
換気装置７２は、複数のユニットから構成されており、図５に示すようにメンテナンス時にはドア本体７１から引き出すことができる。換気装置７２が作動すると、ドア本体７１の宅内側の側面の孔７１ａから空気が吸い込まれ、戸外側の側面の孔７１ａから空気が吹き出される。
透過型表示ディスプレイ７３は、基本状態においてドア本体７１の向こう側が見えるタッチパネル式の液晶ディスプレイである。そして、透過型表示ディスプレイ７３は、住宅の内部および戸外の両方に対して表示機能および操作入力機能を有している。
【００５８】
また、この透過型表示ディスプレイ７３は、ミラー機能を搭載している。ミラー機能のＯＮ／ＯＦＦにより、戸外から住宅の中を覗くことができる第１モードと、戸外から住宅の中を覗くことができない第２モードとが切り替わる。第２モードのときに、戸外から透過型表示ディスプレイ７３を見ると、鏡のような状態となる。ミラー機能のＯＮ／ＯＦＦは、戸外側から住人が住人しか知らない特殊操作を行うことで切り替えることができる。これにより、帰宅してきて玄関ドア７０の戸外側で住宅内の不審者の存在を知った住人が、透過型表示ディスプレイ７３を覗いて住宅内の様子を確認することが可能となっている。なお、通常は、プライバシー保護の観点から、第２モードが自動選択され、戸外から住宅内を覗けないようにされている。
【００５９】
（Ｅ）
上記システムでは、ホームコントローラ８１は、人検知センサ１１ａ，１３ａ，１９ａなどからの検知結果から留守中に住宅内に不審者が入ったと判断した場合に、警備サービス事業者９３に通報を行っているが、これに加えて、住宅内あるいは住宅外に設けた非常ブザーを鳴らすようにしてもよいし、玄関ドア２０の戸外側表示モニタ２３ｂに大きく「ＳＯＳ」という文字を点滅表示させてもよい。
【００６０】
【発明の効果】
請求項１に係る防犯システムでは、幾つかの空間に設置される人検知センサにより、住宅内に侵入者などが居る場合に、それを確実に把握して帰宅してきた住人に知らせることができる。このため、知らずに不審者が居る住宅内に入ってしまい不審者から危害を加えられる確率が大きく低減される。
【００６１】
請求項２に係る防犯システムでは、玄関のドアと表示装置とが一体となっているため、帰宅してきて玄関のドアを開けようとする住人は、ほぼ確実に表示装置を目にすることになる。したがって、表示装置により留守中に不審者が住宅内に侵入していないかを確かるべきであること忘れていた場合にも、それを思い出すことになる。
【００６２】
請求項３に係る防犯システムでは、玄関の近くを通る不特定多数の人や集金などの来訪者に対して不要な情報を漏洩してしまうことが防がれる。反対に、住人が特定のアクセスをドア等に行うことで自動的に表示装置に表示が為されるため、そのようなアクセスを住人が習慣にすれば、住人の帰宅時には常に表示装置に人検知センサの検知結果に基づく表示が自動的に現れるようになる。
【００６３】
請求項４に係る防犯システムでは、人検知センサが不審者などを検知したときにカメラの撮影画像を記録して残すため、住宅内に入ってきた不審者を特定できる可能性が高くなる。
請求項５に係る防犯システムでは、玄関ドアに内蔵する表示装置を住宅の内外から視認できるものとしたため、表示装置の使い道が拡がる。
【００６４】
請求項６に係る防犯システムでは、表示装置に気象情報などが表示されるため、外出する人が表示装置の表示を見て有用な情報を入手することが可能になる。
請求項７に係る防犯システムでは、表示装置に住宅内の電化機器ネットワークにつながる各機器の稼働状況が表示されるため、その表示装置を見た人が各機器の稼働状況を認識することができる。
【００６５】
請求項８に係る防犯システムでは、表示装置の操作入力機能を使うことで、外出前などにおいて機器を一括してＯＦＦ状態にすることなどが可能になる。
請求項９に係る防犯システムでは、機器を最適制御するために人検知センサを用いることができるため、人検知センサの活用度合いが高まる。
【図面の簡単な説明】
【図１】本システムの制御ブロック図。
【図２】本システムの構成機器の設置状態を示す住宅の側面図。
【図３】本システムで用いる玄関ドアの側面一部断面図。
【図４】本システムの空調・換気機能を示す図。
【図５】変形例における玄関ドアの概略斜視図。
【符号の説明】
１１    空気調和装置
１１ａ  人検知センサ
１２    給気扇
１３    空気調和装置
１３ａ  人検知センサ
１９    空気調和装置
１９ａ  人検知センサ
２０    玄関ドア
２２    換気装置
２３ａ  宅内側表示モニタ
２３ｂ  戸外側表示モニタ
７０    玄関ドア
７３    透過型表示ディスプレイ
８１    ホームコントローラ
８５    インターホン
８５ａ  ＣＣＤカメラ
Ｓ１    第１居室の空間
Ｓ２    第２居室の空間
Ｓ３    第３居室の空間
Ｓ４    台所の空間
Ｓ５    浴室等の空間
Ｓ６    廊下の空間
Ｓ７    玄関の空間
【図１】
2005004633.tif 000003
【図２】
2005004633.tif 000004
【図３】
2005004633.tif 000005
【図４】
2005004633.tif 000006
【図５】
2005004633.tif 000007